(57)【特許請求の範囲】
【請求項１】
膝の屈伸運動を利用して膝のねじれを矯正する膝ねじれ矯正装置であって、レール状部材と、該レール状部材をスライドするスライド部材と、足をねじることができる該スライド部材に配設される足固定手段と、前記スライド部材に抵抗を付与して同スライド部材をスライドさせるスライド機構とを備え、
前記足固定手段が、スライド部材に傾動可能に装着される基部と、該基部に装着される足固定部と、該足固定部に抵抗を付与しながら同足固定部を回動可能とする回動機構とを有し、
前記回動機構が、足をねじることにより足固定部を回動させる主回動機構と、手動により足固定部を回動させる補助回動機構と、前記主回動機構に抵抗を付与する抵抗付与手段とを含むことを特徴とする膝ねじれ矯正装置。
【請求項２】
足固定手段が、回動角を計測する回動角指示計を備えてなることを特徴とする請求項１記載の膝ねじれ矯正装置。
【請求項３】
回動角指示計が、基部の先端前方に配設された目盛板と、足固定部の先端前方に配設された指示針とを備えてなることを特徴とする請求項２記載の膝ねじれ矯正装置。
【請求項４】
スライド部材が、当該スライド部材のレール状部材のスライドをガイドする段付ローラーを有してなることを特徴とする請求項１記載の膝ねじれ矯正装置。
【請求項５】
スライド機構が、スライド部材に抵抗を付与する抵抗付与手段を有してなることを特徴とする請求項１記載の膝ねじれ矯正装置。
【請求項６】
レール状部材が、該レール状部材の上端に装着される椅子側部材に備えられたシート状部材を有してなることを特徴とする請求項１記載の膝ねじれ矯正装置。
【請求項７】
レール状部材が、該レール状部材の下端に滑り止めが設けられた床側部材を有してなることを特徴とする請求項１記載の膝ねじれ矯正装置。
【発明の詳細な説明】
【技術分野】
【０００１】
本発明は、膝のねじれ矯正装置に関する。さらに詳しくは、主に椅子やベッドに腰かけた状態で膝を屈伸させながら膝のねじれを矯正する膝のねじれ矯正装置に関する。
【背景技術】
【０００２】
身体には、生活習慣やスポーツに起因する歪が生ずる。膝のねじれもその一つである。
【０００３】
この膝のねじれを放置しておくと、膝の靭帯や半月板に損傷を生ずるおそれがある。そのため、この膝のねじれを矯正する必要がある。ただし、膝は歩行に不可欠な身体要素であるから、手術などによらずに簡易に矯正できるのが望ましい。
【０００４】
しかしながら、いまのところこの膝のねじれを簡易に矯正できる矯正装置は存在しない。
【０００５】
なお、膝の回転により股関節の内回転変形矯正装置に関しては、特許文献１に提案がなされている。
【先行技術文献】
【特許文献】
【０００６】
【特許文献１】特開２００８−６８０５７号公報
【発明の概要】
【発明が解決しようとする課題】
【０００７】
本発明はかかる従来技術の課題に鑑みなされたものであって、膝のねじれを簡易に矯正できる膝のねじれ矯正装置を提供することを目的としている。
【課題を解決するための手段】
【０００８】
本発明の膝ねじれ矯正装置は、膝の屈伸運動を利用して膝のねじれを矯正する膝ねじれ矯正装置であって、レール状部材と、該レール状部材をスライドするスライド部材と、足をねじることができる該スライド部材に配設される足固定手段と、前記スライド部材に抵抗を付与して同スライド部材をスライドさせるスライド機構とを備え、前記足固定手段が、スライド部材に傾動可能に装着される基部と、該基部に装着される足固定部と、該足固定部に抵抗を付与しながら同足固定部を回動可能とする回動機構とを有し、前記回動機構が、足をねじることにより足固定部を回動させる主回動機構と、手動により足固定部を回動させる補助回動機構と、前記主回動機構に抵抗を付与する抵抗付与手段とを含むことを特徴とする。
【０００９】
さらに、本発明の膝ねじれ矯正装置においては、足固定手段が、回動角を計測する回動角指示計を備えてなるのが好ましい。その場合、回動角指示計が、基部の先端前方に配設された目盛板と、足固定部の先端前方に配設された指示針とを備えてなるのがさらに好ましい。
【００１０】
さらに、本発明の膝ねじれ矯正装置においては、スライド部材が、当該スライド部材のレール状部材のスライドをガイドする段付ローラーを有してなるのが好ましい。
【００１１】
さらに、本発明の膝ねじれ矯正装置においては、スライド機構が、スライド部材に抵抗を付与する抵抗付与手段を有してなるのが好ましい。
【００１２】
さらに、本発明の膝ねじれ矯正装置においては、レール状部材が、一端にシート状部材を有していたり、他端に滑り止めが設けられた部材を有していたりするのが好ましい。
【発明の効果】
【００１３】
本発明の膝ねじれ矯正装置は、前記の如く構成されているので、足をねじりながら、しかも抵抗を与えながら膝を屈伸させることができるので、Ｏ脚やＸ脚の改善が簡易になし得るとともに、膝のねじれに起因する膝の痛みを解消できる、という優れた効果が得られる。
【図面の簡単な説明】
【００１４】
【図１】本発明の一実施形態に係る膝のねじれ矯正装置の斜視図である。
【図２】同装置の三面図である。
【図３】同装置のスライド部材の概略図である。
【図４】同装置の回動機構の概略図である。
【図５】同装置のスライド機構の概略図である。
【図６】同スライド機構の他の例の概略図である。
【発明を実施するための形態】
【００１５】
以下、添付図面を参照しながら本発明を実施形態に基づいて説明するが、本発明はかかる実施形態のみに限定されるものではない。
【００１６】
図１に、本発明の一実施形態に係る膝のねじれ矯正装置(以下、単に矯正装置という。)Ａを斜視図で示し、図２に三面図で示す。なお、図１と図２では、回動角指示計３３の位置が変更されている。
【００１７】
矯正装置Ａは、椅子の座面前端やベッド脇と、床との間に斜めに架け渡されて使用されるものであって、図１および図２に示すように、レール状部材１と、レール状部材１にスライド自在に装着されるスライド部材２と、スライド部材２に傾動自在かつ回動自在に装着される、足をねじる際に足に抵抗を付与して足をねじることができるようにする回動機構４（図４参照）を有する足固定手段３と、レール状部材１上端に屈曲自在に装着される椅子側部材５と、レール状部材１下端に装着される床側部材６と、スライド部材１にスライド時に抵抗を付与して同スライド部材１をスライドさせるスライド機構７（図５参照）とを主要構成要素として備えてなるものとされる。
【００１８】
レール状部材１は、薄板(鉄板)を逆Ｕ字状に折り曲げ成型してなるものであって、長さは６００ｍｍ程度、上面の幅は５０ｍｍ程度、側面の高さは７０ｍｍ程度とされる。
【００１９】
レール状部材１の下端部は、図１に示すように、斜に切り欠かれている。この斜めに切り欠かれた箇所には蓋１ａが設けられている。また、両側面の角部は、後述する床側部材６との接合時に床側部材６の円弧面に沿うよう、扇状に切り欠かかれている。
【００２０】
スライド部材２は、図３に示すように、薄板(鉄板)を逆Ｕ字状にレール状部材１の上面の幅より幅広に折り曲げ成型してなるものであって、長さは１５０ｍｍ程度、上面の幅は１００ｍｍ程度、側面の高さは１００ｍｍ程度とされる。
【００２１】
側面２ａは、スライド部材２の重量軽減などを図るため、長方形状の窓２ｂを有するとともに、その先端部(下部)は内側に向けて段部が形成されて先端部の幅が狭くなるようにされている。
【００２２】
また、側面２ａの上端部および下端部には、レール状部材１を挟むようにして段付ローラー２１，２２が装着されている。段付ローラー２１，２２は、図に示すように、中間部の径が細くされている。この中間部、つまり縮径部の幅は、レール状部材１の上面の幅より若干広くされている。段付ローラー２１、２２がかかる構成とされていることにより、スライド部材２は横ずれすることなくレール状部材１をスライドすることができる。つまり、スライド部材２は、段付ローラー２１，２２によりガイドされながらレール状部材１をスライドすることになる。
【００２３】
なお、ローラー２１，２２のスライド部材２への装着は、明瞭には図示はされていないが、公知の手法を用いてなされている。
【００２４】
足固定手段３は、図１および図２に示すように、スライド部材２の上面に起立状かつ傾動自在に装着される基部３１と、基部３１に回動自在に装着される足固定部３２とを備えてなるものとされる。ここで、足固定部３２の回動量は、例えば右側３０度、左側３０度、合計６０度とされる。また、足固定手段３には回動角を計測するため、回動角指示計３３が配設されている。
【００２５】
基部３１は、薄板(鉄板)をＵ字状に折り曲げ成型してなる概略Ｌ字状部材とされる。Ｌ字の水平片に相当する部分のスライド部材２の上面に対向する箇所は、傾動角が所定角度、例えば３０度となるよう逃げが設けられている。また、Ｌ字の垂直片に相当する部分の下部の一側面が、この片に対応させてスライド部材２の上面に配設された係止片２ｃに、垂直片のＵ字状底面をレール状部材１の下端側に向けてボルト・ナット留めされている。このボルト・ナット留めの締め付け程度は、基部３１が傾動できるよう緩めとされている。
【００２６】
足固定部３２は、薄板(鉄板)を扁平Ｕ字状に折り曲げ成型してなる外皮部材３２ａと、外皮部材３２ａの内側に配設された内側部材３２ｂとを備えてなるものとされ、外皮部材３２ａの底面（足を受ける面）が回動機構４を介して基部３１に装着されている。
【００２７】
外皮部材３２ａは、足を固定する固定バンド(図示省略)を有するとともに、底面が足を受ける長さと幅を有し、踵に対応する箇所が漸次高くされてなる踵受けを有するものとされている。また、外皮部材３２ａの裏面の適宜位置には、後述する手動回動具５１の外皮部材側ロープ５１ｃを係止するための係止金具３２ｃが一対対称に設けられている（図４参照）。
【００２８】
内側部材３２ｂは、例えば、厚みが１０ｍｍ程度とされた合成ゴムからなるものとされ、例えば接着剤により外皮部材３２ａ内側に固着されている。内側部材３２ｂの踵に対応する面は円弧状面に形成されて違和感が生じないようにされている。
【００２９】
なお、内側部材３２ｂの外皮部材３２ａへの取付けは、接着剤によるものに限定されるものではなく、適宜とでき、例えばボルト・ナット留めとすることもできる。また、内側部材３２ｂの材質は、合成ゴムに限定されるものではなく、適宜とでき、例えば合成樹脂とすることもできる。
【００３０】
回動機構４は、図４に示すように、主回動機構４１と、補助回動機構４２とを含むものとされる。また、回動機構４には、回動角指示計３３が設けられている。
【００３１】
主回動機構４１は、足固定部３２の外皮部材３２ａ裏面の適宜位置、例えば中央に垂設された回動軸４３と、回動軸４３に対応させて足固定手段３の基部３１に配設された回動軸受け部４４とを備えてなるものとされる。
【００３２】
回動軸４３は、外皮部材３２ａ裏面に当接させて接合される扁平頭部４３ａと、扁平頭部４３ａから一体的に形成されている軸本体４３ｂと、軸本体４３ｂの下端から一体的に形成されている縮径軸４３ｃと、縮径軸４３ｃに装着されている抵抗付与手段としての捩じりコイルバネ４３ｄとを含むものとされる。
【００３３】
ここで、捩じりコイルバネ４３ｄのバネ定数は、膝のねじれを矯正するに足るよう調整されている。
【００３４】
扁平頭部４３ａは、例えばボルト・ナット留めにて外皮部材３２ａにセットされる一方、軸本体４３ｂは基部３１に設けられた回動軸受け部４４に回動可能に嵌合される。
【００３５】
回動軸受け部４４は、軸本体４３ｂが嵌合される滑り軸受４４ａと、軸本体４３ｂ下端を受けるスラスト軸受４４ｂと、捩じりコイルバネ４３ｄを受ける捩じりコイルバネ受４４ｃとを含むものとされる。
【００３６】
回動角指示計３３は、図２に示す例においては、基部３１の先端から前方に突出させて配設された目盛板３３ａと、外皮部材３２ｂの先端から前方に突出させて配設された指示針３３ｂとを備えてなるものとされる。
【００３７】
目盛板３３ｂは、レール部材１の軸心方向がゼロとされて中心振り分けに目盛が付けられている。なお、目盛板３３ｂには、所定のねじり量が確保された位置にマークが付されていたり、所定のねじり量を超えている領域に目盛板３３ｂのバックの色と異なる色、例えばバックの色が白であれば緑の着色がなされていたりするのが好ましい。
【００３８】
捩じりコイルバネ４３ｄは、中立状態で指示針がゼロを指すとともに、左右方向に回動させる際に抵抗が付与されるようにして捩じりコイルバネ受４４ｃに受けられている。なお、かかる捩じりコイルバネ４３ｄの受け方は、公知の手法を適宜用いることができ、その手法に特に限定はない。
【００３９】
補助回動機構４２は、手動により足による足固定部３２の回動を補助するものであって、同様の構成とされた右側手動回動具５１Ｒおよび左側手動回動具５１Ｌと、手動回動具助勢部５２とを含むものとされる。
【００４０】
手動回動具５１は、握り輪５１ａと、一端が握り輪５１ａに連結されている握り輪側ロープ５１ｂと、一端が外皮部材３２ａの裏面に設けられた係止金具３２ｃに係止されている外皮部材側ロープ５１ｃと、握り輪側ロープ５１ｂと外皮部材側ロープ５１ｃとを連結している連結リング５１ｄとを含むものとされる。
【００４１】
手動回動具助勢部５２は、パイプからなる助勢部本体５２ａと、助勢部本体の各端部に上に向けて配設された係止リング５２ｂとを含むものとされる。
【００４２】
助勢部本体５２ａは、中間部５２ａＭと右側部５２ａＲと左側部５２ａＬとからなるものとされ、中間部５２ａＭが足固定手段３の基部３１の裏面の溝部に位置するようにされ、右側部５２ａＲが基部３１の右側から突出させられ、左側部５２ａＬが基部３１の左側から突出させられるようにして基部３１に配設される。つまり、助勢部本体５２ａは、基部３１を貫通させて配設されている。
【００４３】
係止リング５２ｂは、右側部５２ａＲおよび左側部５２ａＬの上端部にリングが、中立状態でレール部材１と平行となるようにしてセットされ、また外皮部材側ロープ５１ｃは、係止リング５２ｂを通した状態で連結リング５１ｄを介して握り輪側ロープ５１ｂと連結される。
【００４４】
椅子側部材５は、レール状部材１上端に屈曲自在に接合されている基部１０と、基部１０の先端（レール状部材１上端に接合される端の反対側端）に接合され、椅子の座面に載置されるシート状部材１１とを備えてなるものとされる。
【００４５】
基部１０は、薄板(鉄板)をＵ字状に折り曲げ成型してなる概略Ｌ字状部材とされる。基部１０上面の幅は、基部１０側面の基端（レール状部材１上端に接合される側の端）を延伸してなる接合片対１０ａ，１０ａが、レール状部材１の両側面を外嵌できるよう調整され、接合片１０ａの適宜位置、例えば中央がレール状部材１の側面と屈曲可能な状態で、例えばボルト・ナット留めされレール状部材１と接合される。ここで、基部１０の屈曲に支障のないよう側面の高さは、先端（シート状部材１１側）に向けて低くなるようにされている。
【００４６】
シート状部材１１は、例えば合成ゴム薄板とされる。シート状部材１１の形状は、図示例においては、基部１０先端部との接合片１１ａを有する円形状とされている。ただし、シート状部材１１の形状は、図示例に限定されるではなく、適宜とでき、例えば接合片１１ａを有する長方形状とすることもできる。
【００４７】
シート状部材１１は、接合片１１ａが基部１０の先端上面と、例えばボルト・ナット留めされて基部１０と接合される。
【００４８】
床側部材６は、具体的には、丸棒（棒鋼）とされ、レール状部材１の両側面の角部と接合、例えば溶接接合される。また、床側部材６のレール状部材１の両側面の外側に位置する箇所には、例えば合成ゴムからなる滑り止め６ａが配設されている。
【００４９】
スライド機構７は、図５に示すように、バネ１４とされた抵抗付与手段を含むものとされる。かかる抵抗付与手段を含むのは、膝の屈伸運動の際に抵抗を与えることによりふくらはぎの筋肉などを強化するためである。
【００５０】
スライド機構７は、具体的には、抵抗付与手段としてのコイルバネ１４と、コイルバネ１４とスライド部材２とを連結するロープ１５と、ロープ１５の方向を変えるプーリー１６とを含むものとされる。
【００５１】
ここで、コイルバネ１４のバネ定数は、膝を痛めることなくふくらはぎの筋肉などを強化できるよう調整されている。
【００５２】
コイルバネ１４の下端はレール状部材１に配設された係止部材１７に係止される一方、上端はロープ１５の一端に係止される。また、ロープ１５の他端は、プーリー１６により方向を変えられてスライド部材２に配設された係止部材１８、例えば上端部の下側段付きローラー２２の縮径部に係止される。プーリー１６は、スライド部材２のスライド上限位置の上方適宜位置に配設される。
【００５３】
なお、図５に示す例においては、コイルバネ１４とスライド部材２とは直結されているが、プーリーを可動とするとともに、つまりプーリーを動滑車状にするとともに、プーリー支持軸にコイルバネ係止具を装着し、コイルバネ係止具にコイルバネの他端を係止することにより、コイルバネの伸びを前記と同様にしながら、スライド部材のスライド量、つまり膝の屈伸量を２倍とすることができる。この場合、プーリーの移動のため、レール状部材の両側面のプーリー支持軸に対応する箇所には、支持軸移動用長孔が設けられるものとされ、またスライド部材２の側面に設けられている窓２ｂは、プーリーのメンテナンス用窓としても機能する。
【００５４】
図６に、かかる構成とされたスライド機構７Ａの一例を概略図で示す。
【００５５】
図において、符号１はレール状部材、符号２はスライド部材、符号１４はコイルバネ、符号１５はロープ、符号１６はプーリーを示し、符号１７はレール状部材側係止部材を示し、符号１８スライド部材側係止部材を示す。また、符号１６Ａは移動プーリーを示し、符号１６Ｂは固定プーリーを示す。
【００５６】
なお、図示例においては、バネとしてコイルバネ１４が用いられているが、バネはコイルバネ１４に限定されるものではなく、例えばエアシリンダー状とされた空気バネとすることもできる。
【００５７】
次に、かかる構成とされた矯正装置Ａによる膝のねじれの矯正の一例について説明する。
【００５８】
手順１:床側部材６を床に置き、シート状部材１１を椅子の座面に置いて矯正装置Ａを椅子に斜めにセットする。
【００５９】
手順２:被矯正者が椅子に座って、足を足固定手段３の足固定部３２に固定する。
【００６０】
手順３:足を内側にひねった状態で膝を屈伸させる。この屈伸の際に、必要に応じて手動回動具４２により足のひねりを補助する。
【００６１】
このように、本実施形態の矯正装置Ａによれば、足に抵抗を受けながら足をひねり、しかも膝も抵抗を受けた状態で膝の屈伸がなし得るので、膝のねじれを矯正できる。つまり、Ｏ脚やＸ脚の改善が簡易になし得る。また、膝のねじれに起因する膝の痛みを解消できる。
【００６２】
以上、本発明を実施形態に基づいて説明してきたが、本発明はかかる実施形態のみに限定されるものではなく、種々改変が可能である。
【００６３】
例えば、本実施形態では、スライド部材２に抵抗を付与する抵抗付与手段はバネとされているが、抵抗付与手段はバネ限定されるものではなく抵抗を付与できる物であれば適宜とでき、例えばダンパーとすることもできる。
【００６４】
また、本実施形態では、矯正装置Ａを斜めに架け渡して使用する例が示されているが、本発明の適用は斜めに架け渡すものに限定されるものではなく、例えば矯正装置Ａをベッドに載置した状態で用いることもできる。
【産業上の利用可能性】
【００６５】
本発明は膝のねじれの矯正に適用できる。
【符号の説明】
【００６６】
Ａ            矯正装置
１            レール状部材
２            スライド部材
３            足固定手段
４            回動機構
５            椅子側部材
６            床側部材
７            スライド機構
１１          シート状部材
２１，２２    段付ローラー
３３          回動角指示計
３３ｂ        目盛板
４１          主回動機構
４２          補助回動機構
【図１】
0005511288.tif 000002
【図２】
0005511288.tif 000003
【図３】
0005511288.tif 000004
【図４】
0005511288.tif 000005
【図５】
0005511288.tif 000006
【図６】
0005511288.tif 000007